(57)【要約】      （修正有）【課題】各センサのセンサ設定情報を設定・更新する操作を容易に行う。【解決手段】監視カメラシステム５では、スマートフォン５０は、タッチパネルに表示されたアイコンに対する操作を受け付けると、親機１０に対し、センサ設定情報を要求する。スマートフォン５０は、親機１０から送られたセンサ設定情報をタッチパネルに表示し、シークバーを用いて閾値を変更する操作を受け付けると、変更された閾値の情報を親機１０に送る。親機１０は、スマートフォン５０から送られた閾値の情報を用いて、記憶部に記憶された設定テーブルを更新する。【選択図】図１
2015204101.tif 000002
【特許請求の範囲】
【請求項１】
各機器に接続し、電源の供給を行うホームプラグと、
前記ホームプラグと通信可能であり、ホームプラグのオン及びオフの設定を行なうとともに、固定電話網に接続されて他固定電話機と通話可能な親機と、
前記親機との間で無線通信可能であり、携帯電話網を介して他携帯電話機と接続する携帯電話端末と、を備えたホームプラグ設定システムであって、
前記親機は、前記ホームプラグのオンあるいはオフの状態を記憶する記憶部を有し、
前記携帯電話端末は、前記ホームプラグの前記状態を前記親機に要求し、前記親機から送られた前記ホームプラグの状態を表示入力部に表示させ、前記ホームプラグのオンあるいはオフの状態の変更操作を受け付けると、この変更した情報を前記親機に送り、
前記親機は、前記携帯電話端末から送られた変更後の前記ホームプラグのオンあるいはオフの状態を用いて、前記記憶部に記憶された状態を更新する、
ホームプラグ設定システム。
【請求項２】
各機器に接続し、電源の供給を行うホームプラグと、前記ホームプラグと通信可能であり、ホームプラグのオン及びオフの設定を行なうとともに、固定電話網に接続されて他固定電話機と通話可能な親機と、前記親機との間で無線通信可能であり、携帯電話網を介して他携帯電話機と接続する携帯電話端末と、を備えたホームプラグ設定システムにおける設定方法であって、
前記親機は、前記ホームプラグのオンあるいはオフの状態を記憶する記憶部を有し、
前記携帯電話端末は、
前記ホームプラグの前記状態を前記親機に要求するステップと、
前記親機から送られた前記ホームプラグの状態を表示入力部に表示させるステップと、
前記ホームプラグのオンあるいはオフの状態の変更操作を受け付けると、この変更した情報を前記親機に送るステップと、を実行し、
前記親機は、
前記携帯電話端末から送られた変更後の前記ホームプラグのオンあるいはオフの状態を用いて、前記記憶部に記憶された状態を更新するステップ、を実行する、
設定方法。
【発明の詳細な説明】
【技術分野】
【０００１】
本発明は、センサとの間で情報又はデータの送受信を行うホームプラグ設定システム及び設定方法に関する。
【背景技術】
【０００２】
従来、センサとの間で情報又はデータの送受信を行う通信システムの一例として、宅内の敷地に入っている侵入者を監視する監視カメラシステムが知られている（特許文献１参照）。特許文献１に示す監視カメラシステムは、録画・録音可能なホームサーバと、赤外線センサと、ビデオカメラと、マイクロホンとを備える。赤外線センサが侵入者を検出した場合、ホームサーバは、ビデオカメラ及びマイクロホンを用いて、侵入者に関する映像を録画するとともに、侵入者に関する音声を録音する。
【先行技術文献】
【特許文献】
【０００３】
【特許文献１】特開２０００−９９８６２号公報
【発明の概要】
【発明が解決しようとする課題】
【０００４】
しかしながら、上述した特許文献１では、センサが対象（例えば侵入者）を検出したことを判定する際に用いられる閾値を含むセンサの設定値は、実際のユーザの個別の事情が考慮された値ではなく、例えば仕様書等において記載されている固定値（デフォルト値）に一律に設定されることが多い。
【０００５】
言い換えると、実際に屋内外等に設置されたセンサが対象（例えば侵入者）を検出する動作をユーザが確認した上で、センサの実使用が開始された後には、センサの設定値は変更されることが想定されていない。従って、実際のユーザの個別の事情に合致しないことがあり、センサがユーザの期待通りに作動しないことがあった。
【０００６】
また、実際にセンサが対象（例えば侵入者）を検出することをユーザが確認しながら、センサの設定値（例えば感度、閾値）を適正な設定値に設定・変更しようとすると、ユーザは、センサの設置場所と、センサが検出した情報（例えば異常を示す情報）を受信する受信機（例えば親機）の設置場所とを往来して設定・変更する作業が発生するので、煩雑な作業がユーザに求められ、ユーザの利便性が劣化するという課題があった。特に、数多くのセンサが設置されている場合には、センサ毎に個別設定しなければならず、ユーザの設定に関する作業が多くなる。また、センサに関連付けて使用される被制御機器の設定に関する作業も多くなる。
【０００７】
本発明は、上述した従来の問題を解決するために、設置される少なくとも１つのセンサのセンサ設定情報や被制御装置の設定情報の設定、更新に関する操作を簡易化するホームプラグ設定システム及び設定方法を提供することを目的とする。
【課題を解決するための手段】
【０００８】
本発明は、各機器に接続し、電源の供給を行うホームプラグと、前記ホームプラグと通信可能であり、ホームプラグのオン及びオフの設定を行なうとともに、固定電話網に接続されて他固定電話機と通話可能な親機と、前記親機との間で無線通信可能であり、携帯電話網を介して他携帯電話機と接続する携帯電話端末と、を備えたホームプラグ設定システムであって、前記親機は、前記ホームプラグのオンあるいはオフの状態を記憶する記憶部を有し、前記携帯電話端末は、前記ホームプラグの前記状態を前記親機に要求し、前記親機から送られた前記ホームプラグの状態を表示入力部に表示させ、前記ホームプラグのオンあるいはオフの状態の変更操作を受け付けると、この変更した情報を前記親機に送り、前記親機は、前記携帯電話端末から送られた変更後の前記ホームプラグのオンあるいはオフの状態を用いて、前記記憶部に記憶された状態を更新する、ホームプラグ設定システムである。
【０００９】
また、本発明は、各機器に接続し、電源の供給を行うホームプラグと、前記ホームプラグと通信可能であり、ホームプラグのオン及びオフの設定を行なうとともに、固定電話網に接続されて他固定電話機と通話可能な親機と、前記親機との間で無線通信可能であり、携帯電話網を介して他携帯電話機と接続する携帯電話端末と、を備えたホームプラグ設定システムにおける設定方法であって、前記親機は、前記ホームプラグのオンあるいはオフの状態を記憶する記憶部を有し、前記携帯電話端末は、前記ホームプラグの前記状態を前記親機に要求するステップと、前記親機から送られた前記ホームプラグの状態を表示入力部に表示させるステップと、前記ホームプラグのオンあるいはオフの状態の変更操作を受け付けると、この変更した情報を前記親機に送るステップと、を実行し、前記親機は、前記携帯電話端末から送られた変更後の前記ホームプラグのオンあるいはオフの状態を用いて、前記記憶部に記憶された状態を更新するステップ、を実行する、設定方法である。
【発明の効果】
【００１０】
本発明によれば、携帯端末の見やすい表示入力部を使って、設置される少なくとも１つのセンサのセンサ設定情報や被制御装置の設定情報の設定、更新に関する操作を簡易化することができる。
【図面の簡単な説明】
【００１１】
【図１】第１の実施形態の監視カメラシステムの構成を示す模式図
【図２】各実施形態の親機の内部構成の一例を詳細に示すブロック図
【図３】各実施形態のセンサの内部構成の一例を詳細に示すブロック図
【図４】各実施形態のカメラの内部構成の一例を詳細に示すブロック図
【図５】各実施形態のスマートフォンの内部構成の一例を詳細に示すブロック図
【図６】第１の実施形態の監視カメラシステムにおける通常の監視動作の流れを説明するシーケンス図
【図７】親機の記憶部に記憶された設定テーブルの登録内容の一例を示す図
【図８】第１の実施形態の監視カメラシステムにおけるセンサ設定動作の流れを説明するシーケンス図
【図９】（Ａ）〜（Ｃ）センサ設定値の変更操作を説明する図
【図１０】スマートフォンのタッチパネルに表示されたセンサ設定値操作画面を示す図
【図１１】第２の実施形態の監視カメラシステムにおけるセンサ設定動作の流れを説明するシーケンス図
【図１２】複数のカメラで撮像された複数の画像が表示されたタッチパネルの画面を示す図
【図１３】関連付けテーブルの登録内容の一例を示す図
【図１４】タッチパネルに表示された各センサの閾値を変更する変更操作画面を示す図
【図１５】第３の実施形態の監視カメラシステムにおけるセンサ設定動作の流れを説明するシーケンス図
【図１６】画像転送中のカメラとセンサとの対応付けを変更する操作画面を示す図
【図１７】（Ａ）、（Ｂ）変更後の関連付けテーブル及び設定テーブルの登録内容の変化の一例を示す図
【図１８】第４の実施形態の通信システムにおけるホームプラグの内部構成の一例を詳細に示すブロック図
【図１９】第４の実施形態の電源制御の流れを説明するシーケンス図
【図２０】（Ａ）、（Ｂ）第４の実施形態の設定テーブルの登録内容を示す図
【図２１】第４の実施形態の通信システムにおけるホームプラグの設定動作の流れを説明するシーケンス図
【図２２】（Ａ）、（Ｂ）第４の実施形態におけるホームプラグの設定の変更操作を説明する図
【発明を実施するための形態】
【００１２】
以下、本発明に係る通信システム、及び制御装置の各実施形態について、図面を参照しながら説明する。以下の本実施形態では、本発明に係る通信システムの一例として、監視カメラシステムを例示して説明する。なお、本発明は、通信システムに限定されず、通信システムを構成する各装置又は各装置における方法として表現することも可能である。
【００１３】
（第１の実施形態）
図１は、第１の実施形態の監視カメラシステム５の構成を示す模式図である。図１に示す監視カメラシステム５は、屋内外に設置された親機１０と、３つのカメラ３０（具体的には、監視カメラ３０Ａ，３０Ｃ，屋内カメラ３０Ｂ）と、各種センサ４０（具体的には、人感センサ４０Ａ，煙センサ４０Ｂ，人感センサ４０Ｃ，４０Ｄ，４０Ｅ，開閉センサ４０Ｆ）と、スマートフォン５０と、無線ルータ６０とを含む構成である。なお、図１に示す監視カメラシステム５の構成は一例であり、用途に応じて種々の態様に変更可能である。
【００１４】
親機（ゲートウェイ）１０は、監視カメラシステム５の全体の動作を制御する制御装置であり、ＤＥＣＴ（Digital Enhanced Cordless Telecommunications）の通信方式を用いて、子機（不図示）、カメラ、センサ等と通信可能に接続される。また、親機１０は、無線ＬＡＮ（Local Area Network）を用いた無線ルータ６０を介してインターネット６５（ネットワーク）に接続される。
【００１５】
各種センサ４０（具体的には、人感センサ４０Ａ，煙センサ４０Ｂ，人感センサ４０Ｃ，４０Ｄ，４０Ｅ，開閉センサ４０Ｆ）は、ＤＥＣＴの通信方式で親機１０と接続される。ここでは、センサ４０として、窓の開閉を検出する開閉センサ４０Ｆと、煙を感知する煙センサ４０Ｂと、赤外線によって人を感知する人感センサ４０Ａ，４０Ｃ，４０Ｄ，４０Ｅとが用いられる。特に、これらのセンサの種類を区別する必要が無い場合、センサ４０と総称する。また、後述するように、カメラ３０に内蔵された赤外線センサ３１３（図４参照）も、人感センサとして用いられる。
【００１６】
３つのカメラ３０（具体的には、監視カメラ３０Ａ，３０Ｃ，屋内カメラ３０Ｂ）は、例えば通話機能を有し、ＤＥＣＴの通信方式で親機１０と接続される。ここでは、カメラとして、屋外を撮像する監視カメラ３０Ａ，３０Ｃと、宅内を撮像する屋内カメラ３０Ｂとが用いられる。特に、カメラの種類を区別する必要が無い場合、カメラ３０と総称する。
【００１７】
スマートフォン５０は、無線ＬＡＮを用いた無線ルータ６０を介して親機１０と接続され、また、３Ｇ（第３世代）等の通信方式を用いた携帯電話網を介して携帯電話機や他のスマートフォン等と接続される。
【００１８】
また、本実施形態を含む各実施形態では、センサ４０をグループ分けして各種設定、挙動の切り替えを行う。本実施形態では、各カメラ３０の撮像範囲に３つのグループが設定される。即ち、あるカメラの撮像範囲に含まれる１つ又は複数のセンサは同一のグループに属することになる。
【００１９】
以下、例えば玄関前に設置された監視カメラ３０Ａの撮像範囲をグループ７Ａとし、宅内に設置された屋内カメラ３０Ｂの撮像範囲をグループ７Ｂとし、庭に設置された監視カメラ３０Ｃの撮像範囲をグループ７Ｃとする。
【００２０】
グループ７Ａには、人感センサ４０Ａが設置されている。グループ７Ｂには、煙センサ４０Ｂ及び開閉センサ４０Ｆが設置されている。グループ７Ｃには、３つの人感センサ４０Ｄ，４０Ｅ，４０Ｃが設置されている。
【００２１】
なお、これらのグループ７Ａ，グループ７Ｂ，グループ７Ｃの設定は一例である。また、グループは、１台のカメラに対応して設定されるとは限らず、カメラとは無関係に任意の範囲に設定されても良く、例えば近い場所に設置されている１つ又は複数のセンサを含む領域に設定されても良い。
【００２２】
図２は、各実施形態の親機１０の内部構成の一例を示すブロック図である。図２に示す親機１０は、制御部１０９と、記憶部１０３と、操作部１０５と、表示部１０６とを含む構成である。親機１０は、各種の入力操作を受け付け、表示部１０６に画像等の情報を表示する。制御部１０９は、呼制御部１１０及び音声ストリーム処理部１１２を内蔵し、通話の呼制御や音声データの処理等を行う。
【００２３】
また、親機１０は、画像メモリ制御部１１５と、画像メモリ１１６とを有し、カメラ３０で撮像された画像データ等を画像メモリ１１６に記憶する。
【００２４】
また、親機１０は、無線ＬＡＮ制御部１２１と、無線ＬＡＮ通信Ｉ／Ｆ部１２２とを有し、無線ＬＡＮで接続された無線ルータ６０を介してスマートフォン５０、カメラ３０等と画像データ及び音声データを送受信する。
【００２５】
また、親機１０は、ＤＥＣＴプロトコル制御部１０８と、ＤＥＣＴ無線Ｉ／Ｆ部１０７とを有し、ＤＥＣＴ（Digital Enhanced Cordless Telecommunications）の無線方式を用いて、子機（図示せず）、センサ４０及びカメラ３０と無線接続を行う。
【００２６】
また、親機１０は、音声バス１１７と、音声入出力制御部１０４と、スピーカ１２９と、マイク１２８とを有し、外部に対して音声の入出力を行う。
【００２７】
また、親機１０は、固定電話回線Ｉ／Ｆ部１０１を有し、固定電話網８５に接続された外部の固定電話機と通話可能である。
【００２８】
また、親機１０は、子機／携帯端末充電部１２６を有し、差込口に挿入された子機あるいはスマートフォン５０を充電する。
【００２９】
また、親機１０は、ＵＳＢ通信Ｉ／Ｆ部１２７を有し、ＵＳＢ（Universal Serial Bus）規格のインタフェースを有する機器やメモリ等とデータを送受信する。
【００３０】
また、親機１０は、後述する設定テーブル７１（図７参照）及び関連付けテーブル７５（図１３参照）を記憶部１０３に記憶する。設定テーブル７１には、センサ４０のグループに関するセンサ設定値が、センサ４０が属するグループと共に登録されている。関連付けテーブル７５には、各カメラ３０に対応付けられたセンサ４０が登録されている。
【００３１】
例えば、人感センサ４０Ａと監視カメラ３０Ａは、玄関側の場所に設置されているので、対応付けて登録されている。また、カメラ３０は、後述するように、人感センサである赤外線センサ３１３（図４参照）を一体として内蔵するので、この赤外線センサ３１３とも対応付けて登録される。また、煙センサ４０Ｂと開閉センサ４０Ｆとは、いずれも宅内に設置されているので、屋内カメラ３０Ｂとそれぞれ対応付けて登録されている。
【００３２】
図３は、各実施形態のセンサ４０の内部構成の一例を示すブロック図である。図３に示すセンサ４０は、制御部４４７と、記憶部４４２と、表示ランプ４４５とを有する。記憶部４４２には、後述するように、センサ４０がスマートフォン５０或いは親機１０と通信を行うことで、設定・変更可能な感度、閾値、オン／オフ設定、動作時間等のセンサ設定値が登録される。
【００３３】
センサ４０は、対象を検出した場合に表示ランプ４４５を点灯する等、所定の検出動作を行う。また、センサ４０は、ＤＥＣＴプロトコル制御部４４９と、ＤＥＣＴ無線Ｉ／Ｆ部４４８とを有し、ＤＥＣＴの無線方式で親機１０と無線接続を行い、対象を検出すると、センサ検出情報を親機１０に送る。
【００３４】
センサ部４５３は、センサ４０の種類によって異なる。例えば、人感センサの場合、センサ部４５３は、赤外線の変化によって人を感知するＰＩＲ（Passive Infrared Ray）センサである。窓等の開閉を検出する開閉センサ４０Ｆの場合、センサ部４５３は、開閉によってオン／オフに切り替わるリードスイッチである。煙センサ４０Ｂの場合、センサ部４５３は、発光した光が煙によって遮光されることで煙を感知する発光・受光部である。
【００３５】
充電池４５０は、充電可能な電池であり、各部に電力を供給する。
【００３６】
図４は、各実施形態のカメラ３０の内部構成の一例を示すブロック図である。図４に示すカメラ３０（具体的には、監視カメラ３０Ａ，３０Ｃ及び屋内カメラ３０Ｂ）は、いずれもほぼ同じ仕様を有する。カメラ３０は、制御部３０９と、記憶部３０３と、操作部３０５とを含む構成である。カメラ３０は、撮像に関する動作を行うとともに、入力操作を受け付ける。
【００３７】
また、カメラ３０は、ＤＥＣＴプロトコル制御部３１７と、ＤＥＣＴ無線Ｉ／Ｆ部３１８とを有し、ＤＥＣＴの無線方式を用いて親機１０と無線接続を行う。
【００３８】
また、カメラ３０は、無線ＬＡＮ制御部３２１と、無線ＬＡＮ通信Ｉ／Ｆ部３２２とを有し、無線ＬＡＮで接続された無線ルータ６０を介して親機１０、スマートフォン５０等と画像データ及び音声データを送受信する。
【００３９】
また、カメラ３０は、音声バス３０７と、音声入出力制御部３０４と、スピーカ３２９と、マイク３２８とを有し、外部に対して音声の入出力を行う。
【００４０】
また、カメラ３０は、撮像部３１２と、画像メモリ制御部３１６と、画像メモリ３１５とを有し、撮像部３１２で撮像された画像データを画像メモリ３１５に記憶する。撮像部３１２は、レンズ及び撮像素子を有する。
【００４１】
また、カメラ３０は、人感センサとして、ＰＩＲセンサである赤外線センサ３１３を一体に内蔵する。赤外線センサ３１３は、人が発する熱（赤外線）の変化を検出して人の存在を感知する。また、カメラ３０は、商用交流を電源とする電源部３１４を有する。
【００４２】
図５は、各実施形態のスマートフォン５０の内部構成の一例を示すブロック図である。スマートフォン５０は、制御部５０６と、記憶部５０４と、表示／操作部（タッチパネル５０３）とを含む構成である。スマートフォン５０は、各種の入力操作を受け付け、タッチパネル５０３に画像等の情報を表示する。制御部５０６は、カメラ３０の機能を設定可能な監視機能制御部５１４を内蔵する。タッチパネル５０３は、表示部及び操作部が一体化された表示入力部であり、画面に画像やアイコン等の情報を表示するとともに、ユーザによる画面へのタップ操作を受け付ける。
【００４３】
また、スマートフォン５０は、３Ｇプロトコル制御部５０２と、３Ｇ無線Ｉ／Ｆ部５０１とを有し、３Ｇ（第３世代）の無線通信方式を用いて、携帯電話網に接続された携帯電話機や他のスマートフォンと無線接続を行う。
【００４４】
また、スマートフォン５０は、音声バス５１５と、音声入出力制御部５０５と、スピーカ５１３と、マイク５１２とを有し、外部に対して音声の入出力を行う。
【００４５】
また、スマートフォン５０は、無線ＬＡＮ制御部５０７と、無線ＬＡＮ通信Ｉ／Ｆ部５０８とを有し、無線ＬＡＮで接続された無線ルータ６０を介して親機１０、カメラ３０等と画像データ及び音声データを送受信する。
【００４６】
また、スマートフォン５０は、ＵＳＢ通信Ｉ／Ｆ部５１１を有し、ＵＳＢ（Universal Serial Bus）規格のインタフェースを有する機器やメモリ等とデータを送受信する。
【００４７】
上述した構成を有する本実施形態の監視カメラシステム５の動作について説明する。
【００４８】
始めに、本実施形態の監視カメラシステム５における通常の監視動作について、図６を参照して説明する。図６は、第１の実施形態の監視カメラシステム５における通常の監視動作の流れを説明するシーケンス図である。例えば、図６ではグループ７Ａに関して、人感センサ４０Ａ及び監視カメラ３０Ａを用いた場合を例示して説明する。
【００４９】
図６において、人感センサ４０Ａが、屋外に存在する人物等の対象を検出すると、対象を検出した旨の情報と、センサの出力値（例えばセンシング結果としての検出レベル）とを含むセンサ検出情報を親機１０に送信する（Ｓ１０１）。親機１０は、人感センサ４０Ａからセンサ検出情報を受信すると、無線ＬＡＮを用いてスマートフォン５０と無線接続し（Ｓ１０２）、接続が完了すると、スマートフォン５０にセンサ検出情報を送信する（Ｓ１０３）。
【００５０】
また、親機１０は、監視カメラ３０Ａに対し、画像／音声データの転送を要求する（Ｓ１０４）。監視カメラ３０Ａは、画像／音声データの転送要求を受けると、無線ＬＡＮを用いて親機１０と接続し、撮像部３１２で撮像した画像データ及びマイク３２８で収音した音声データを親機１０に転送する（Ｓ１０５）。
【００５１】
スマートフォン５０は、ユーザから、監視カメラのアプリケーションを起動させる等のモニタ指示を受け付けると（Ｓ１０６）、親機１０に対し、画像／音声データの転送を要求する（Ｓ１０７）。親機１０は、スマートフォン５０から画像／音声データの転送要求に応じ、監視カメラ３０Ａから転送された画像データ及び音声データをスマートフォン５０に転送する（Ｓ１０８）。これにより、スマートフォン５０は、タッチパネル５０３に監視カメラ３０Ａによって撮像された画像を表示することができる。
【００５２】
次に、各センサ４０のセンサ設定値の設定・変更動作について、図７を参照して説明する。図７は、親機１０の記憶部１０３に記憶された設定テーブル７１の登録内容の一例を示す図である。ここで、説明を分かり易くするために、センサ４０（具体的には、人感センサ４０Ａ，煙センサ４０Ｂ，人感センサ４０Ｃ，４０Ｄ，４０Ｅ，開閉センサ４０Ｆ）をそれぞれセンサａ，ｂ，ｃ，ｄ，ｅ，ｆと便宜的に表記する。また同様に、監視カメラ３０Ａ，屋内カメラ３０Ｂ，監視カメラ３０ＣをそれぞれカメラＡＡ，ＢＢ，ＣＣと表記する。更に同様に、グループ７Ａ，７Ｂ，７ＣをそれぞれグループＡ，Ｂ，Ｃと表記する。
【００５３】
図７に示す設定テーブル７１には、グループを示す情報（グループ分け）とセンサ設定値とを含むセンサ設定情報が登録されている。具体的には、センサａが属するグループＡとセンサａのセンサ設定値と、センサｂ，ｆが属するグループＢとセンサｂ，ｆの各センサ設定値と、センサｃ，ｄ，ｅが属するグループＣとセンサｃ，ｄ，ｅの各センサ設定値とが登録されている。なお、前述したように、本実施形態では、グループＡ，Ｂ，Ｃは、それぞれカメラＡＡ，ＢＢ，ＣＣの撮像範囲であり、カメラＡＡ，ＢＢ，ＣＣと１対１に対応している。
【００５４】
また、センサ設定値は、例えば感度と、閾値と、オン／オフ設定と、動作時間とが少なくとも設定・変更可能である。感度は、センサ４０の検出感度である。感度を上げると、センサ出力値が大きくなる。閾値は、センサ出力値と比較され、センサ出力値が超えた場合にセンサが対象を検出した、即ち異常を検出したと判定するための値である。センサ出力値が閾値を超えると、センサ４０から親機１０にセンサ検出情報（図６に示すステップＳ１０１参照）が送られる。オン／オフ設定は、センサ４０を作動／停止にする設定である。動作時間は、センサ４０が作動している時間である。これらのセンサ設定値は、一例であり、その他のパラメータが用いられてもよい。また、センサ毎に設定されたセンサ設定値を含む設定ファイル２８（図９（Ａ）及び（Ｂ）参照）は、記憶部１０３に格納されている。
【００５５】
図８は、第１の実施形態の監視カメラシステム５におけるセンサ設定動作の流れを説明するシーケンス図である。図９（Ａ）及び（Ｂ）は、センサ設定値の変更操作を説明する図である。ユーザが、図９（Ａ）に示すように、スマートフォン５０のタッチパネル５０３に表示されている各種の設定機能のアイコンの中からセンサ設定機能のアイコン２３をタップ操作すると（Ｓ１１）、スマートフォン５０は、センサ設定機能のアプリケーションを起動し、親機１０にセンサ設定情報を要求する（Ｓ１２）。
【００５６】
親機１０は、記憶部１０３に記憶されている設定テーブル７１の登録内容を読み出し（Ｓ１３）、センサ設定情報をスマートフォン５０に送る（Ｓ１４）。スマートフォン５０は、タッチパネル５０３にセンサ設定値操作画面を表示する（Ｓ１５）。
【００５７】
図１０は、スマートフォン５０のタッチパネル５０３に表示されたセンサ設定値操作画面を示す図である。図１０に示すセンサ設定値操作画面では、センサ毎に、センサアイコンと、閾値と、シークバー２７とグループとが表示される。例えばユーザがグループを指定し、閾値と隣接して表示されるシークバー２７上のスライダ２７ａを図１０の紙面左右方向に移動させると、閾値が変更される。なお、閾値の代わりに、感度が変更されても良い。
【００５８】
スマートフォン５０は、ユーザがグループを指定することで行われたセンサ設定値の変更操作を受け付けると（Ｓ１６）、親機１０に対し、グループ毎に一括で変更されたセンサ設定情報を送る（Ｓ１７）。親機１０は、スマートフォン５０から送られたセンサ設定情報に従って、記憶部１０３に記憶された設定テーブル７１を更新する（Ｓ１８）。
【００５９】
例えば図９（Ｂ）に示すように、変更前のセンサａの閾値が値３から、図９（Ｃ）に示すように、変更後のセンサａの閾値が値２に変更されると、親機１０の記憶部１０３に記憶されているセンサａの設定ファイル２８及び設定テーブル７１の内容が更新される。
【００６０】
このように、本実施形態の監視カメラシステム５では、スマートフォン５０は、タッチパネル５０３に表示されたセンサアイコンに対するタップ操作を受け付けると、親機１０に対し、センサ設定情報を要求する。スマートフォン５０は、親機１０から送られたセンサ設定情報をタッチパネル５０３に表示する。ユーザは、例えば実際の更新対象となるグループに出向き、タッチパネル５０３に表示されたグループを指定し、グループ毎に指定されたセンサ４０のシークバー２７を用いて、センサ４０のセンサ出力値と閾値との比較結果を確認（体験）しながら、閾値の変更操作を行う。
【００６１】
スマートフォン５０は、この操作を受け付けると、変更された閾値の情報を親機１０に送る。親機１０は、スマートフォン５０から送られた閾値の情報を用いて、記憶部１０３に記憶された設定テーブル７１を更新する。
【００６２】
これにより、ユーザは、スマートフォン５０の見やすいタッチパネル５０３を使って、各センサ４０のセンサ設定情報を設定・更新する操作を容易に行うことができる。
【００６３】
また、センサ４０には、人感センサが用いられるので、ユーザがスマートフォン５０を所持し、センサ４０によって自身が検出されることを確認して、センサ設定情報を設定・更新することができる。
【００６４】
また、タッチパネル５０３には、各センサを表すセンサアイコンと共に、センサアイコンと隣接して、閾値がシークバー２７の操作によって変更可能に表示される。これにより、センサ毎の閾値の変更操作が容易になる。
【００６５】
またこれらのグループ分けを、各センサを設置する場所、部屋などのゾーン（区画）に応じて設定することにより、ゾーン毎に一括して設定し、また同じゾーン内で同じ挙動に切替えることが出来る。たとえば同じゾーン内に設置された各センサ４０のセンサ設定情報を設定・更新する操作を一括して行うことができる。
【００６６】
このように、ゾーン毎に一括でセンサ設定値を設定するので、ユーザがゾーンに立ち入って、ゾーン内の複数のセンサにわざと自身を検出させることで、その検出結果から、ゾーンに属するセンサのセンサ設定値をまとめて適正な値に設定することができる。従って、本実施形態の監視カメラシステム５によれば、センサの設定値の設定作業が簡単になる。
【００６７】
（第２の実施形態）
上述した第１の実施形態では、同じグループに属する１つ若しくは複数のセンサ４０のセンサ設定値を個別に設定する場合を説明した。
【００６８】
第２の実施形態では、１つのカメラ３０に対応付けられた１つ若しくは複数のセンサ４０の閾値を一括で設定する場合について説明する。
【００６９】
また、第１の実施形態では、カメラの撮像範囲をゾーンに設定することで、ゾーンとカメラが１対１で対応していたが、第２の実施形態では、予め設定された領域をゾーンとし、この領域内には、複数のカメラが設置されていてもよいし、全くカメラが設置されていなくてもよい。
【００７０】
第２の実施形態では、第１の実施形態に比べて、ゾーンＣにカメラが１つ追加され、２つの監視カメラ３０Ｃ，３０Ｄ（カメラＣＣ，、カメラＤＤ）が設置されている。また、第２の実施形態では、ゾーン毎に一括でセンサの閾値を設定する際、指定されたカメラに対応付けられたセンサだけを選択して設定する。
【００７１】
なお、第２の実施形態の監視カメラシステムは第１の実施形態とほぼ同一の構成を有する。前記第１の実施形態と同一の構成要素については同一の符号を用いることで、その説明を省略する。
【００７２】
図１１は、第２の実施形態の監視カメラシステム５におけるセンサ設定動作の流れを説明するシーケンス図である。
【００７３】
ユーザが、スマートフォン５０のタッチパネル５０３に表示されているセンサ・カメラ設定機能のアイコンをタップ操作すると（Ｓ２１）、スマートフォン５０は、センサ・カメラ設定機能のアプリケーションを起動し、親機１０に起動信号を送る（Ｓ２２）。
【００７４】
親機１０は、スマートフォン５０から起動信号を受けると、複数のカメラ３０に対し、画像／音声データの転送を要求する（Ｓ２３）。複数のカメラ３０は、画像／音声データの転送要求を受けると、それぞれ無線ＬＡＮを用いて親機１０と接続し、撮像部３１２で撮像した画像データ及びマイク３２８で収音した音声データを親機１０に送信する（Ｓ２４）。親機１０は、複数のカメラ３０から送られた画像データ及び音声データをスマートフォン５０に転送する（Ｓ２５）。
【００７５】
スマートフォン５０は、複数のカメラ３０から送られた画像データ及び音声データを用いて、タッチパネル５０３に各カメラ３０で撮像された画像を表示する（Ｓ２６）。図１２は、複数のカメラ３０で撮像された複数の画像が表示されたタッチパネル５０３の画面を示す図である。ここでは、カメラＣＣが指定されている。
【００７６】
ユーザが実際の更新対象となるゾーン（例えばゾーンＣ）に出向き、ユーザ自身が把持しているスマートフォン５０のタッチパネル５０３に表示された画像を見て、例えばユーザ自身が映っている画像を撮像しているカメラ３０を１つ指定すると（Ｓ２７）、スマートフォン５０は、この指定されたカメラ３０の情報（カメラ特定情報）を親機１０に送る（Ｓ２８）。
【００７７】
図１２では、カメラＣＣが指定されている。親機１０は、記憶部１０３に格納されている関連付けテーブル７５（図１３参照）を用い、この指定されたカメラ３０に対応付けられたセンサ４０を特定する（Ｓ２９）。図１３は、関連付けテーブル７５の登録内容の一例を示す図である。図１３に示す関連付けテーブル７５には、ゾーン毎にカメラ３０に対応付けられたセンサ４０が登録されている。
【００７８】
親機１０は、特定された全てのセンサ４０に対し、検出レベル情報を要求する（Ｓ３０）。各センサ４０は、この検出レベル情報の要求に応じ、検出レベル情報を親機１０に送る（Ｓ３１）。親機１０は、各センサ４０から送られた検出レベル情報を、センサ設定情報と共にスマートフォン５０に転送する（Ｓ３２）。
【００７９】
スマートフォン５０は、各センサ４０から送られた検出レベル情報を、センサアイコン８１及び閾値とともに、閾値と隣接してタッチパネル５０３に表示する（Ｓ３３）。図１４は、タッチパネル５０３に表示された各センサの閾値を変更する変更操作画面を示す図である。ここでは、カメラＣが指定された場合の変更操作画面が示されている。タッチパネル５０３には、閾値と隣接して、この閾値を変更するシークバー８２が表示される。ユーザがシークバー８２上のスライダ８２ａを図中左右方向に移動させることで、閾値は変更される。なお、閾値の代わりに、感度が変更されても良い。
【００８０】
ユーザがタッチパネル５０３に表示された閾値を変更する操作を行うと（Ｓ３４）、スマートフォン５０は、変更された閾値の情報を親機１０に送る（Ｓ３５）。親機１０は、記憶部１０３に記憶された設定テーブル７１に登録されている閾値を変更する（Ｓ３６）。
【００８１】
この監視カメラシステム５では、例えば、ユーザがゾーンＣに実際に立ち入ることで、ゾーン内のカメラ３０によってユーザ自身が撮像される。ユーザは、この撮像によりスマートフォン５０に送られた画像を見て、自身を撮像したカメラ３０を指定する。さらに、ユーザは、この指定されたカメラ３０に対応する、少なくとも１つのセンサ４０の検出レベルをタッチパネル５０３の画面で見て、各センサ４０のセンサ設定値を変更する。例えば、検出レベルが低いセンサ４０に対して、閾値を低く設定し、又は感度を上げる等の変更が行われる。
【００８２】
これにより、ユーザは、スマートフォン５０の見やすいタッチパネル５０３を使って、指定したカメラ３０に対応付けられたセンサ４０のセンサ設定値（閾値、感度）を容易に変更できる。また、カメラ３０に対応付けられた、ゾーン内の複数のセンサ４０のセンサ設定値（閾値、感度）をまとめて適正な値に設定することができ、センサ設定値の設定・変更作業が簡単になる。
【００８３】
（第３の実施形態）
上述した第１の実施形態では、１つ若しくは複数のセンサが属するグループは予め設定されていたが、第３の実施形態では、カメラで撮像された画像から、ユーザが１つもしくは複数のセンサが属するグループを設定する場合を説明する。
【００８４】
なお、第３の実施形態の監視カメラシステムは第１の実施形態とほぼ同一の構成を有する。前記第１の実施形態と同一の構成要素については同一の符号を用いることで、その説明を省略する。
【００８５】
図１５は、第３の実施形態の監視カメラシステム５におけるセンサ設定動作の流れを説明するシーケンス図である。上述した第２の実施形態と同様、ユーザが、スマートフォン５０のタッチパネル５０３に表示されているセンサ・カメラ設定機能のアイコンをタップ操作すると（Ｓ４１）、スマートフォン５０は、センサ・カメラ設定機能のアプリケーションを起動し、親機１０に起動信号を送る（Ｓ４２）。
【００８６】
親機１０は、複数のカメラ３０に対し、画像／音声データの転送を要求する（Ｓ４３）。複数のカメラ３０は、画像／音声データの転送要求を受けると、それぞれ無線ＬＡＮを用いて親機１０と接続し、撮像部３１２で撮像した画像データ及びマイク３２８で収音した音声データを親機１０に転送する（Ｓ４４）。さらに、親機１０は、複数のカメラ３０から送られた画像データ及び音声データをスマートフォン５０に転送する（Ｓ４５）。
【００８７】
スマートフォン５０は、複数のカメラ３０から送られた画像データ及び音声データを用いて、タッチパネル５０３に各カメラ３０で撮像された画像（図１２参照）を表示する（Ｓ４６）。
【００８８】
ユーザがタッチパネル５０３に表示された画像を見て、例えば所望の画像やユーザ自身が映っている画像を撮像しているカメラ３０を１つ指定する（Ｓ４７）。これにより、指定されたカメラ３０から転送される画像データだけがタッチパネル５０３に表示されるようになる。ここでは、上述した第２の実施形態と異なり、画像転送中のカメラとして、カメラＡＡが指定されたとする。
【００８９】
親機１０は、全てのセンサ４０に対し、検出レベル情報を送るように要求する（Ｓ４８）。各センサ４０は、この検出レベル情報の要求に応じ、検出レベル情報を親機１０に送る（Ｓ４９）。親機１０は、全てのセンサ４０から送られた検出レベル情報を、センサ設定情報と共にスマートフォン５０に転送する（Ｓ５０）。
【００９０】
スマートフォン５０は、前述した図１４と同様、各センサ４０から送られた検出レベル情報を、センサアイコン８１及び閾値とともに、閾値と隣接してタッチパネル５０３に表示する（Ｓ５１）。ただし、この場合、全てのセンサ４０について表示が行われる。
【００９１】
ユーザがタッチパネル５０３に表示された閾値を変更する操作を行うと（Ｓ５２）、スマートフォン５０は、変更された閾値の情報を親機１０に送る（Ｓ５３）。親機１０は、記憶部１０３に記憶された設定テーブル７１に登録されている閾値を変更する（Ｓ５４）。
【００９２】
スマートフォン５０は、閾値の情報を親機１０に送った後、指定された画像転送中のカメラ３０（カメラＡＡ）とセンサ４０との対応付けを変更する操作画面を表示する（Ｓ５５）。
【００９３】
図１６は、画像転送中のカメラ３０とセンサ４０との対応付けを変更する操作画面を示す図である。画像転送中のカメラＡＡを表すカメラアイコンには、星印のマークが付けられている。ユーザは、例えばカメラＣＣに対応付けられていたセンサｄを、指定された画像転送中のカメラＡＡに対応付けるように、図中矢印ｎに示すように所定の入力操作（例えば、ドラッグ操作）して移動させる。
【００９４】
指定された画像転送中のカメラＡに対し、センサ４０の対応付け操作が行われると（Ｓ５６）、スマートフォン５０は、この関連付け情報を親機１０に送信する（Ｓ５７）。親機１０は、送られた関連付け情報に従って、記憶部１０３に記憶された関連付けテーブル７５Ａ（図１７（Ａ）参照）を更新する（Ｓ５８）。
【００９５】
図１７（Ａ）及び（Ｂ）は、変更後の関連付けテーブル７５Ａ及び設定テーブル７１Ａの登録内容の変化を示す図である。図１７（Ａ）に示すように、関連付けテーブル７５Ａでは、図中矢印ｍに示すように、カメラＣに対応付けられていたセンサｄが消去され、代わりにカメラＡに対応付けるようにセンサｄが登録される。
【００９６】
さらに、図１７（Ｂ）に示すように、親機１０は、設定テーブル７１Ａに登録されているセンサｄが属するゾーンを、ゾーンＣから、指定された画像転送中のカメラ３０に対応するゾーンＡに変更し、設定テーブル７１Ａを更新する（Ｓ５９）。
【００９７】
第３の実施形態の監視カメラシステムでは、ユーザは、指定された画像転送中のカメラで撮像された画像を見て、このカメラに対応付けるセンサを選択するだけで、選択されたセンサはこのカメラに対応する同じゾーンに属するように設定される。即ち、ユーザは、スマートフォンの見やすいタッチパネルを使って、センサが属するゾーンを簡単に設定できる。
【００９８】
（第４の実施形態）
第４の実施形態では、１つ若しくは複数のセンサと、１つ若しくは複数のホームプラグが属するグループにおいて、センサの検出に応じた複数のホームプラグの挙動を一括して設定する通信システムについて説明する。
【００９９】
第４の実施形態の通信システムは、上述した第１の実施形態の監視カメラシステムの構成に加え、複数のカメラがそれぞれ接続可能な複数のホームプラグを備える。なお、通信システムは、カメラの代わりに、他の機器が接続可能なホームプラグを備えても良い。
【０１００】
図１８は、第４の実施形態の通信システム５Ａにおけるホームプラグ８０の内部構成の一例を詳細に示すブロックである。図１８に示すホームプラグ８０は、制御部８４７と、記憶部８４２と、表示ランプを備えた表示部８４５とを有する。記憶部８４２には、後述するように、ホームプラグ８０がスマートフォン５０或いは親機１０と通信を行うことで、設定又は変更が可能なオン／オフ条件設定が登録される。
【０１０１】
また、ホームプラグ８０は、ＤＥＣＴプロトコル制御部８４９と、ＤＥＣＴ無線Ｉ／Ｆ部８４８とを有し、ＤＥＣＴの無線方式で親機１０と無線接続を行い、この無線接続を介して送られる信号に従って、ホームプラグ８０に接続される各機器へ商用交流電源の供給又は遮断を切り替える。
【０１０２】
また、ホームプラグ８０は、スイッチ部８５０を有する。スイッチ部８５０は、プラグ端子８５１とコンセント端子８５２との間で、電力供給線の接続又は遮断を行う。スイッチ部８５０は、ソレノイドコイル８５３によって駆動され、ソレノイドコイル８５３に交流電源からの駆動電流を流すことによってスイッチ部８５０を閉結し、プラグ端子８５１とコンセント端子８５２の間を導通させる。また、スイッチ部８５４は、制御部８４７の制御によってソレノイドコイル８５３に流す駆動電流をオン／オフさせる。
【０１０３】
プラグ端子８５１とスイッチ部８５０との間には電流検出素子８５５が設けられ、プラグ端子８５１とコンセント端子８５２の間で電流が流れると、電流検出素子８５５が検知し、検知信号を制御部８４７へ送る。
【０１０４】
図１９は、第４の実施形態の電源制御の流れを説明するシーケンス図である。例えばグループＤと表記されるグループＤ（図２０（Ａ）、（Ｂ）参照）に関して、同じ部屋に設置された人感センサ４０Ａと、複数のホームプラグ８０（図２０（Ｂ）に示すホームプラグＡ１，Ｂ１，Ｃ１）とが連携するように設定されている。ここでは、説明を簡単にするために、図１９においてホームプラグ８０Ａ（即ち、図２０（Ｂ）に示すホームプラグＡ１に対応）のみを記載し、他のホームプラグ８０Ｂ，８０Ｃを省略している。
【０１０５】
図１９において、人感センサ４０Ａが、室内に存在する人物等の対象を検出すると、対象を検出した旨の情報（有り）と、センサの出力値（例えばセンシング結果としての検出レベル）とを含むセンサ検出情報を親機１０に送信する（Ｓ８０１）。親機１０は、人感センサ４０Ａからセンサ検出情報を受信すると、無線ＬＡＮを用いてスマートフォン５０と無線接続し（Ｓ８０２）、接続が完了すると、スマートフォン５０にセンサ検出情報を送信する（Ｓ８０３）。
【０１０６】
また、親機１０は、ホームプラグ８０Ａ（及び他のホームプラグ８０Ｂ，８０Ｃ）に対し、スイッチ部８５０を閉結するための閉結指令を送る（Ｓ８０４）。ホームプラグ８０Ａは、親機１０から無線接続を介して送られる閉結指令の信号に従ってソレノイドコイル８５３の駆動電流をオンにし、スイッチ部８５０を閉結させて、外部機器への電力供給線を導通可能な状態にする。
【０１０７】
ホームプラグ８０Ａの電流検出素子８５５は、外部機器の電力消費状態を示す信号を制御部８４７へ出力し、その検知信号に応じてホームプラグ８０Ａから親機１０へ無線接続を介して電力消費モニタ情報が送られる（Ｓ８０５）。
【０１０８】
スマートフォン５０では、センサ検出情報が表示される。スマートフォン５０のユーザは、表示されたセンサ検出情報に気付くと、室内の電力消費の状態をモニタしたい場合、スマートフォン５０のタッチパネル５０３を操作してモニタ指示を行うことができる。
【０１０９】
スマートフォン５０は、ユーザからモニタ指示を受け付けると（Ｓ８０６）、親機１０に対し、電力モニタ要求を送る（Ｓ８０７）。親機１０は、スマートフォン５０からの電力モニタ要求に応じ、ホームプラグ８０Ａからの電力消費モニタ情報をスマートフォン５０に転送する（Ｓ８０８）。これにより、スマートフォン５０は、この室内における機器への電力供給の状態を表示することができる（Ｓ８０９）。
【０１１０】
また、人感センサ４０Ａの設定に従って、一定時間経過しても、人感センサ４０Ａが、室内に存在する人物等の対象を検出しない場合、対象を検出しない旨の情報（無し）と、センサの出力値（例えばセンシング結果としての検出レベル）とを含むセンサ検出情報を親機１０に送信する（Ｓ８１０）。親機１０は、人感センサ４０Ａからセンサ検出情報（無し）を受信すると、無線ＬＡＮを用いてスマートフォン５０と無線接続し（Ｓ８１１）、接続が完了すると、スマートフォン５０にセンサ検出情報を送信する（Ｓ８１２）。
【０１１１】
スマートフォン５０は、このセンサ検出情報（無し）を受信すると、タッチパネル５０３に対象を検出していないことを表す「不在」の情報を表示する（Ｓ８１３）。
【０１１２】
スマートフォン５０のユーザは、「不在」の情報を見て電力遮断を指示することができる。スマートフォン５０は、電力遮断の指示を受け付けると（Ｓ８１４）、親機１０に遮断要求を送信する（Ｓ８１５）。親機１０は、この遮断要求を受信すると、ホームプラグ８０Ａに遮断要求を行う（Ｓ８１６）。ホームプラグ８０Ａは、親機１０から無線接続を介して送られる遮断要求の信号に従ってソレノイドコイル８５３の駆動電流をオフにし、スイッチ部８５０を開放して、外部機器への電力供給線を非導通な状態にする。
【０１１３】
次に、センサ設定情報及びホームプラグの設定情報の更新について説明する。図２０（Ａ）は、親機１０の記憶部１０３に記憶された、センサ設定情報を表す設定テーブル７１Ｂの登録内容の一例を示す図である。設定テーブル７１Ｂには、グループ毎に、グループに属するセンサ４０及びセンサ設定情報が登録されている。例えば、グループＡには、センサｄ及びそのセンサ設定値が登録されている。グループＢには、センサｂ，ｆ及びそのセンサ設定値が登録されている。グループＣには、センサｅ，ｃ及びその設定値が登録されている。グループＤには、センサａ及びそのセンサ設定値が登録されている。
【０１１４】
図２０（Ｂ）は、親機１０の記憶部１０３に記憶された、ホームプラグ８０の設定情報を表す設定テーブル７１Ｃの登録内容の一例を示す図である。ここでは、説明を分かり易くするために、複数のホームプラグ８０Ａ，８０Ｂ，８０Ｃ，８０Ｄ、 …をそれぞれＡ１，Ｂ１，Ｃ１，Ｄ１，…と、表記する。設定テーブル７１Ｃには、グループ毎に、グループに属するホームプラグ８０及び各ホームプラグ８０の設定情報が登録されている。例えば、グループＤには、ホームプラグＡ１，Ｂ１，Ｃ１及びそれぞれのオン／オフ条件設定が登録されている。
【０１１５】
図２１は、第４の実施形態の通信システム５Ａにおけるホームプラグ８０の設定動作の流れを説明するシーケンス図である。ユーザが、スマートフォン５０のタッチパネル５０３に表示されているホームプラグ８０の設定機能のアイコンをタップ操作すると（Ｓ９１１）、スマートフォン５０は、親機１０にホームプラグ８０の設定情報を要求する（Ｓ９１２）。
【０１１６】
親機１０は、記憶部１０３に記憶されている設定テーブル７１Ｃの登録内容を読み出し（Ｓ９１３）、ホームプラグ８０の設定情報をスマートフォン５０に送る（Ｓ９１４）。スマートフォン５０は、タッチパネル５０３にホームプラグ８０の設定値操作画面を表示する（Ｓ９１５）。
【０１１７】
スマートフォン５０は、ユーザがグループを指定することで行われたホームプラグ８０の設定値の変更操作を受け付けると（Ｓ９１６）、親機１０に対し、グループ毎に一括で変更されたホームプラグ設定情報を送る（Ｓ９１７）。親機１０は、スマートフォン５０から送られたホームプラグ設定情報に従って、記憶部１０３に記憶された設定テーブル７１Ｃを更新する（Ｓ９１８）。
【０１１８】
図２２（Ａ），（Ｂ）は、第４の実施形態におけるホームプラグ８０の設定情報の変更操作を説明する図である。図２２（Ａ）及び（Ｂ）において、スマートフォン５０のタッチパネル５０３には、センサ及びそのセンサと同じグループとして設定されたホームプラグ８０Ａ（Ａ１），８０Ｂ（Ｂ１），８０Ｃ（Ｃ１）の設定値操作画面が表示されている。
【０１１９】
図２２（Ａ）及び（Ｂ）に示す設定値操作画面では、グループ毎に、センサアイコンと、閾値と、シークバー８７とグループとが表示される。例えばユーザがグループＤを指定し、閾値と隣接して表示されるシークバー８７上のスライダ８７ａを図２２（Ａ）又は図２２（Ｂ）の画面左右方向に移動させると、グループＤに属する人感センサ４０Ａの閾値が変更される。なお、閾値の代わりに、感度が変更されても良い。
【０１２０】
スマートフォン５０は、ユーザによるセンサ設定値の変更操作を受け付けると、親機１０に対し、ゾーン毎に一括で変更されたセンサ設定情報を送り、親機１０は、スマートフォン５０から送られたセンサ設定情報に従って、記憶部１０３に記憶された設定テーブル７１Ｂ（図２０（Ａ）参照）を更新する。
【０１２１】
また、スマートフォン５０のタッチパネル５０３には、人感センサ４０Ａのシークバー８７とともに、同じグループとして設定されたホームプラグ８０Ａ，８０Ｂ，８０Ｃそれぞれのデフォルト状態における［ＯＮ］／［ＯＦＦ］を設定する為のアイコン８８が表示される。さらに、タッチパネル５０３には、同じグループの人感センサ４０Ａの状態変化に従って、各ホームプラグの［ＯＮ］／［ＯＦＦ］を同時に制御する為の設定を一括で変更するためのアイコン８９が表示される。
【０１２２】
スマートフォン５０は、ユーザによるホームプラグ８０Ａ，８０Ｂ，８０Ｃそれぞれのデフォルト状態における［ＯＮ］／［ＯＦＦ］の変更操作を受け付けると、親機１０に対して設定情報を送る。親機１０は、この設定情報を受けると、記憶部１０３に記憶された設定テーブル７１Ｃにおいて、ホームプラグ８０Ａ，８０Ｂ，８０Ｃのそれぞれのデフォルト状態におけるオン／オフ条件設定を更新する。
【０１２３】
また、スマートフォン５０は、ユーザによりホームプラグ８０の設定を一括で変更するためのアイコン８９による変更操作を受け付けると、親機１０に対して設定情報を送る。親機１０は、この設定情報を受けると、記憶部１０３に記憶された設定テーブル７１Ｃにおいて、人感センサ４０Ａの状態変化に従って、全てのホームプラグが［ＯＮ］又は［ＯＦＦ］に同時に制御されるように一括して設定を更新する。
【０１２４】
図２２（Ａ）では、タッチパネル５０３上の各ホームプラグの設定を一括で変更するためのアイコン８９の状態が［ＯＮ］である場合の例が示される。まず、ホームプラグ一括設定を有効にするために、「ホームプラグ一括設定」が表示された領域を、例えばダブルタップして表示色を変更しておく。そして、アイコン８９の「ＯＮ」をタップすることで、ホームプラグ一括設定は「ＯＮ」に設定される。
【０１２５】
この「ＯＮ」に設定された場合、同じグループの人感センサ４０Ａの状態が「有り」を検知した状態では、ホームプラグ８０Ａ，８０Ｂ，８０Ｃは全て［ＯＮ］つまり電力供給状態に制御される。
【０１２６】
ユーザがこの設定を一括して変更したい場合、ユーザはタッチパネル５０３上でアイコン８９の［ＯＦＦ］をタップする。ユーザがタッチパネル５０３上でアイコン８９の［ＯＦＦ］をタップすると、その情報は親機１０に送られる。親機１０は、記憶部１０３に記憶された設定テーブル７１Ｃを一括で更新する。それ以降、人感センサ４０Ａの状態が「有り」を検知した状態になっても、ホームプラグ８０Ａ，８０Ｂ，８０Ｃは全て［ＯＦＦ］つまり電力供給されない状態に制御される。図２０（Ｂ）では、タッチパネル５０３上の各ホームプラグの設定を一括で変更するためのアイコン８９の状態が［ＯＦＦ］である場合の例が示される。
【０１２７】
このように、第４の実施形態の通信システム５Ａでは、スマートフォン５０は、親機１０から送られたセンサ４０を特定する情報及びホームプラグ８０の設定情報をグループ毎に区別してタッチパネル５０３に表示させる。スマートフォン５０は、ホームプラグ８０の設定情報の変更操作をグループ毎に受け付けると、指定されたグループに対応して変更されたホームプラグ８０の設定情報を親機１０に送る。親機１０は、スマートフォン５０から送られたホームプラグ８０の設定情報をグループ毎に一括で更新する。
【０１２８】
これにより、通信システム５Ａは、ユーザにより所持されるスマートフォン５０の見やすいタッチパネル５０３を介して、グループ毎に設置されたホームプラグ８０の設定情報の設定、更新の操作を簡易化させることができ、ホームプラグ８０の設定情報を容易に設定、更新することができる。また、各ホームプラグ８０の設定情報を設定、更新する操作をグループ毎に一括して行うことができる。また、必要としていないホームプラグ８０の電力供給を遮断することで、省電力化が図られる。
【０１２９】
また、ホームプラグ８０の設定情報を個別に設定、更新することができる。また、ユーザは、ホームプラグ８０から転送された電力消費モニタ情報を見て、ホームプラグ８０を適切に設定、更新することができる。
【０１３０】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【０１３１】
例えば、上記実施形態では、監視カメラシステムに適用された場合を示したが、本発明はセンサを用いた様々な通信システムに適用可能である。また、第４の実施形態の通信システムでは、被制御機器としてホームプラグを一例として挙げたが、レコーダ、スピーカ、ライト等のネットワークに接続可能な機器でもよい。
【産業上の利用可能性】
【０１３２】
本発明は、センサとの間で情報又はデータの送受信を行い、設置される少なくとも１つのセンサのセンサ設定情報や被制御装置の設定情報の設定、更新に関する操作を簡易化する通信システム、電話装置及び通信方法として有用である。
【符号の説明】
【０１３３】
５  監視カメラシステム
５Ａ  通信システム
７Ａ、７Ｂ、７Ｃ  ゾーン
１０  親機
２３、８１、８８、８９、９２  アイコン
２７、８２、８７  シークバー
２７ａ、８２ａ、８７ａ  スライダ
２８  設定ファイル
３０、３０Ａ、３０Ｂ、３０Ｃ、３０Ｄ  カメラ
４０、４０Ａ、４０Ｂ、４０Ｃ、４０Ｄ、４０Ｅ、４０Ｆ  センサ
５０  スマートフォン
６０  無線ルータ
６５  インターネット
７１、７１Ａ、７１Ｂ、７１Ｃ  設定テーブル
７５、７５Ａ  関連付けテーブル
８０、８０Ａ、８０Ｂ、８０Ｃ、８０Ｄ  ホームプラグ
１０１  固定電話回線Ｉ／Ｆ部
１０３、３０３、４４２、５０４、８４２  記憶部
１０４、３０４、５０５  音声入出力制御部
１０５、３０５、８４１  操作部
１０６、８４５  表示部
１０７、４４８、８４８  ＤＥＣＴ無線Ｉ／Ｆ部
１０８、４４９、８４９  ＤＥＣＴプロトコル制御部
１０９、３０９、４４７、５０６、８４７  制御部
１１０  呼制御部
１１２  音声ストリーム処理部
１１５  画像メモリ制御部
１１６  画像メモリ
１１７、３０７、５１５  音声バス
１２１、３２１、５０７  無線ＬＡＮ制御部
１２２、３２２、５０８  無線ＬＡＮ通信Ｉ／Ｆ部
１２６  子機／携帯端末充電部
１２７  ＵＳＢ通信Ｉ／Ｆ部
１２８、３２８、５１２  マイク
１２９、３２９、５１３  スピーカ
５５０  ２次電池
３１２  撮像部
３１３  赤外線センサ
３１５  画像メモリ
３１６  画像メモリ制御部
４４５  表示ランプ
４５０  充電池
４５３  センサ部
５０１  ３Ｇ無線Ｉ／Ｆ部
５０２  ３Ｇプロトコル制御部
５０３  表示／操作部（タッチパネル）
５１１  ＵＳＢ通信Ｉ／Ｆ部
５１４  監視機能制御部
８５１  プラグ端子
８５２  コンセント端子
８５３  ソレノイドコイル
８５０、８５４  スイッチ部
８５５  電流検出素子
【図１】
2015204101.tif 000003
【図２】
2015204101.tif 000004
【図３】
2015204101.tif 000005
【図４】
2015204101.tif 000006
【図５】
2015204101.tif 000007
【図６】
2015204101.tif 000008
【図７】
2015204101.tif 000009
【図８】
2015204101.tif 000010
【図９】
2015204101.tif 000011
【図１０】
2015204101.tif 000012
【図１１】
2015204101.tif 000013
【図１２】
2015204101.tif 000014
【図１３】
2015204101.tif 000015
【図１４】
2015204101.tif 000016
【図１５】
2015204101.tif 000017
【図１６】
2015204101.tif 000018
【図１７】
2015204101.tif 000019
【図１８】
2015204101.tif 000020
【図１９】
2015204101.tif 000021
【図２０】
2015204101.tif 000022
【図２１】
2015204101.tif 000023
【図２２】
2015204101.tif 000024